(57)【要約】      （修正有）【課題】ＬＥＤチップによる発熱量差を抑えるＬＥＤ回路基板およびＬＥＤ照明器具を提供する。【解決手段】ＬＥＤ回路基板４０Ａの第１ＬＥＤチップ４２１は、基材４１Ａの長手方向端縁４１２に最も近い位置に実装され、第２ＬＥＤチップ４２２は、第１ＬＥＤチップ４２１に隣り合う箇所に実装され、第３ＬＥＤチップ４２３は、第２ＬＥＤチップ４２２に隣り合う箇所に実装される。基材４１Ａの長手方向端縁４１２と第１ＬＥＤチップ４２１との間の第１離間寸法Ｌ１よりも、第１ＬＥＤチップ４２１と、第２ＬＥＤチップ４２２との間の第２離間寸法Ｌ２が小さい。第２ＬＥＤチップ４２２と第３ＬＥＤチップとの間の第３離間寸法Ｌ３が、第２離間寸法Ｌ２よりも大きい。これにより、長手方向に沿ったＬＥＤチップ４２による発熱量の差を抑えることができ、ＬＥＤ回路基板４０Ａの変形を抑えることができる。【選択図】図６
2015204159.tif 000002
【特許請求の範囲】
【請求項１】
帯状の基材と、
前記基材の実装面において前記基材の長手方向に沿って所定間隔で実装された第１ＬＥＤチップ、第２ＬＥＤチップ、第３ＬＥＤチップを備え、
前記第１ＬＥＤチップは、前記基材の前記長手方向端縁に最も近い位置に実装され、
前記第２ＬＥＤチップは、前記第１ＬＥＤチップに隣り合う箇所に実装され、
前記第３ＬＥＤチップは、前記第２ＬＥＤチップに隣り合う箇所に実装され、
前記基材の長手方向端縁と、前記第１ＬＥＤチップにおける前記長手方向端縁側の縁部との間の第１離間寸法よりも、
前記第１ＬＥＤチップにおける前記長手方向端縁とは反対側の縁部と、前記第２ＬＥＤチップにおける前記長手方向端縁側の縁部との間の第２離間寸法が小さく、
前記第２ＬＥＤチップにおける前記長手方向端縁とは反対側の縁部と、前記第３ＬＥＤチップにおける前記長手方向端縁側の縁部との間の第３離間寸法が前記第２離間寸法よりも大きいＬＥＤ回路基板。
【請求項２】
請求項１に記載のＬＥＤ回路基板において、
前記第１ＬＥＤチップの光束値が前記第２ＬＥＤチップの光束値よりも高いＬＥＤ回路基板。
【請求項３】
請求項１または請求項２に記載のＬＥＤ回路基板を有し、器具本体に収容された電源部からの電源供給により発光するＬＥＤ発光部と、
前記ＬＥＤ発光部における前記第１ＬＥＤチップ、前記第２ＬＥＤチップ、前記第３ＬＥＤチップの発光軸線に入射端面を向けて配置された導光板と、を備えるＬＥＤ照明器具。
【請求項４】
請求項３に記載のＬＥＤ照明器具において、
前記ＬＥＤ発光部は、前記ＬＥＤ回路基板を複数有し、
前記各ＬＥＤ回路基板は、前記基材の長手方向端縁が互いに隣り合うように平面視多角形状に配置されているＬＥＤ照明器具。
【請求項５】
請求項４に記載のＬＥＤ照明器具において、
前記ＬＥＤ発光部は、前記各ＬＥＤ回路基板の発光軸線が互いに放射状となるように配置されているＬＥＤ照明器具。
【発明の詳細な説明】
【技術分野】
【０００１】
本発明は、実装面に複数のＬＥＤチップを実装したＬＥＤ回路基板と、導光板を介してＬＥＤ回路基板からの光を照射するＬＥＤ照明器具に関するものである。
【背景技術】
【０００２】
従来、導光板を介して光源からの光を照射するＬＥＤ照明器具が知られており、光源として実装面に複数のＬＥＤチップを実装したＬＥＤ回路基板が用いられている（例えば、特許文献１参照）。
特許文献１に記載のＬＥＤ照明器具は、光源と、光源からの光を内部に導光させて出射する導光板（導光部材）とを備えた光源モジュールを有する。導光板は、円盤状であり、中央部に開口部が形成されている。光源は、開口部の内面と対向するように開口部内に配置されている。
【０００３】
光源は、複数の発光素子（ＬＥＤチップ）と、発光素子が配列された光源基板（ＬＥＤ回路基板）とを備えている。発光色の異なる３色の発光素子が、光源基板上に搭載されている。各発光素子は、光源基板上に配列された発光素子を二分する分割線の両側に、等距離に設けられている。
光源モジュールにおいて、隣り合う光源の外縁部側には、同一発光色の発光素子が、配置されている。これにより、特許文献１に記載のＬＥＤ照明器具は、光ムラが生じやすい光源と光源との境界部に対し、同一色の光が出射されるので、光ムラを低減することができる。
【先行技術文献】
【特許文献】
【０００４】
【特許文献１】特開２０１４−４４８３５号公報
【発明の概要】
【発明が解決しようとする課題】
【０００５】
特許文献１に記載の従来のＬＥＤ回路基板においては、ＬＥＤ回路基板の中心である分割線の両側（長手方向中央部）の発光素子の間隔が、他の発光素子の間隔よりも大きくなっている。
このため、特許文献１に記載のＬＥＤ回路基板は、長手方向に沿って発熱量の差が大きくなる場所が生じる。
【０００６】
本発明は、従来の問題を解決するためになされたもので、ＬＥＤ回路基板の長手方向に沿ったＬＥＤチップによる発熱量差を抑えることができるＬＥＤ回路基板およびそれを用いたＬＥＤ照明器具を提供することを目的とする。
【課題を解決するための手段】
【０００７】
本発明のＬＥＤ回路基板は、帯状の基材と、前記基材の実装面において前記基材の長手方向に沿って所定間隔で実装された第１ＬＥＤチップ、第２ＬＥＤチップ、第３ＬＥＤチップを備え、前記第１ＬＥＤチップは、前記基材の前記長手方向端縁に最も近い位置に実装され、前記第２ＬＥＤチップは、前記第１ＬＥＤチップに隣り合う箇所に実装され、前記第３ＬＥＤチップは、前記第２ＬＥＤチップに隣り合う箇所に実装され、前記基材の長手方向端縁と、前記第１ＬＥＤチップにおける前記長手方向端縁側の縁部との間の第１離間寸法よりも、前記第１ＬＥＤチップにおける前記長手方向端縁とは反対側の縁部と、前記第２ＬＥＤチップにおける前記長手方向端縁側の縁部との間の第２離間寸法が小さく、前記第２ＬＥＤチップにおける前記長手方向端縁とは反対側の縁部と、前記第３ＬＥＤチップにおける前記長手方向端縁側の縁部との間の第３離間寸法が前記第２離間寸法よりも大きいものである。
【０００８】
また、本発明のＬＥＤ照明器具は、前述したＬＥＤ回路基板を有し、器具本体に収容された電源部からの電源供給により発光するＬＥＤ発光部と、前記ＬＥＤ発光部における前記第１ＬＥＤチップ、前記第２ＬＥＤチップ、前記第３ＬＥＤチップの発光軸線に入射端面を向けて配置された導光板と、を備えるものである。
【発明の効果】
【０００９】
本発明は、隣接するＬＥＤチップの間隔を、ＬＥＤ回路基板の端部から中央に向かって徐々に大きくしたため、ＬＥＤ回路基板の長手方向に沿ったＬＥＤチップによる発熱量の差を抑えることができるという効果を有するＬＥＤ回路基板およびそれを用いたＬＥＤ照明器具を提供できる。
【図面の簡単な説明】
【００１０】
【図１】本発明に係る第１実施形態のＬＥＤ照明器具を天井面に取り付けた状態を下方から見た斜視図
【図２】本発明に係る第１実施形態のＬＥＤ照明器具を上方から見た斜視図
【図３】本発明に係る第１実施形態のＬＥＤ照明器具の断面図
【図４】本発明に係る第１実施形態のＬＥＤ照明器具の上ＬＥＤ発光部付近の断面図
【図５】本発明に係る第１実施形態のＬＥＤ回路基板と上導光板とを上方から見た斜視図
【図６】（Ａ）は本発明に係る第１実施形態のＬＥＤ回路基板の正面図、（Ｂ）は第１実施形態の変形例を示す正面図
【図７】本発明に係る第１実施形態のＬＥＤ回路基板の第１ＬＥＤチップの照射範囲を示す平面図
【図８】本発明に係る第２実施形態のＬＥＤ回路基板と上導光板とを上方から見た斜視図
【図９】（Ａ）は本発明に係る第２実施形態のＬＥＤ回路基板の斜視図であり、（Ｂ）は本発明に係る第２実施形態のＬＥＤ回路基板の断面図
【図１０】本発明に係る第３実施形態のＬＥＤ回路基板と上導光板とを上方から見た斜視図
【図１１】本発明に係る第４実施形態のＬＥＤ回路基板と上導光板とを上方から見た斜視図
【発明を実施するための形態】
【００１１】
（第１実施形態）
以下、第１実施形態のＬＥＤ回路基板およびそれを用いたＬＥＤ照明器具について、図面を用いて説明する。
図１に示すように、第１実施形態のＬＥＤ照明器具１０Ａは、例えば天井面１１に取り付けて、主に下方を照明するのに用いることができる。
なお、以下の説明においては、ＬＥＤ照明器具１０Ａを天井面１１に取り付けた状態で、天井面１１側を「上」、天井面１１と反対側（すなわち、床側）を「下」とする。
【００１２】
図１および図２に示すように、ＬＥＤ照明器具１０Ａは、天井面１１に取り付けられる器具本体２０を有する。
器具本体２０の下側には、上導光板（導光板）５０が配置されている。上導光板５０の下側には、上導光板５０を下側から支持する上カバー５１が、器具本体２０に取り付けられている。上カバー５１は、不透光性の部材である。
【００１３】
図１および図３に示すように、上カバー５１の下側には、下導光板（導光板）６０が配置されている。下導光板６０の下側には、下導光板６０を下側から支持する不透光性の下カバー６１が設けられている。
下カバー６１は、全体リング形状をしている。下カバー６１の内側には、円盤状のセンターレンズ７０が下カバー６１の内周に沿って設けられている。
センターレンズ７０の内側には、円板状の蓋７１が着脱可能に取り付けられている。
【００１４】
図２および図３に示すように、器具本体２０は、例えば、アルミニウム等の金属で全体略円板形状に形成されている。器具本体２０の中央部には、平坦部２３が設けられている。平坦部２３の中央には、開口２１が設けられている。開口２１には、取付アダプタ（電源部）２２が設けられている。取付アダプタ２２は、天井面１１に取り付けられている引掛けシーリング（図示省略）に取り付けられて、商用電源から電力が供給される。また、平坦部２３の上面には、複数個（ここでは、例えば３個）の弾性支持部材２６が取り付けられている。
【００１５】
図４に示すように、器具本体２０は、中央の平坦部２３の外周端から下方に向かって外側へ傾斜するように折り曲げられて、立壁２４が形成されている。立壁２４の下端部は、外側へ折り曲げられて水平部２５が設けられている。水平部２５は、後述する上カバー５１と協働で上導光板５０を厚み方向に挟持する。水平部２５の先端（外周縁）は、円筒形状に折り返されて、上導光板５０に当接する当接部２５１が設けられている。
立壁２４は、後述する上ＬＥＤ発光部（ＬＥＤ発光部）３０Ａの配置に対応しており、平面視で例えば六角形に形成されている。各立壁２４は、六角錐状に形成されている。
【００１６】
従って、ＬＥＤ照明器具１０Ａは、蓋７１（図１参照）を外した状態で、取付アダプタ２２を引掛シーリングに取り付けることにより電気的および機械的に接続されて、天井面１１に取り付けられる。このとき、弾性支持部材２６が、器具本体２０と天井面１１との間で弾性変形して密着するので、器具本体２０のぐらつきを抑制する。
【００１７】
図３および図４に示すように、上カバー５１は、中央に開口部（図示省略）を有する全体円錐形状を呈している。開口部は、下ＬＥＤ発光部（ＬＥＤ発光部）３２の配置に対応してここでは平面視六角形に形成されている。
上カバー５１の外周部は、外側に向かって上昇するように傾斜面５１２が設けられている。
【００１８】
図３および図４に示すように、器具本体２０と上カバー５１との間には、上導光板５０が支持されている。
図５に示すように、上導光板５０は、全体円板状を呈しており、中央には中空部５２を有する。中空部５２は、器具本体２０に支持され六角形に配置された上ホルダ３１（図４参照）に対応して、六角形に形成されている。中空部５２の内側面は、上ＬＥＤ発光部３０Ａからの光が入射する入射端面５２１となる。
【００１９】
図３および図４に示すように、器具本体２０と上カバー５１との間には、上ＬＥＤ発光部３０Ａが収容されている。上ＬＥＤ発光部３０Ａは、上ホルダ３１を有している。上ホルダ３１は、器具本体２０の内側で、平坦部２３の下面に接するように設けられている。上ホルダ３１は、立壁２４の配置（ここでは、六角形）に対応して６個設けられている（図５参照）。
上ホルダ３１には、実装面４１１に複数のＬＥＤチップ４２を直線状に実装したＬＥＤ回路基板４０Ａが取り付けられる。上ホルダ３１および上導光板５０が取り付けられた状態で、各ＬＥＤチップ４２は、上導光板５０の入射端面５２１に対して、所定の間隔を保持して対向する。
なお、ＬＥＤ回路基板４０Ａの実装面４１１と反対側の内側面には、放熱板３３が接触して取り付けられる（図４参照）。
【００２０】
図１および図３に示すように、上カバー５１の下側には、下カバー６１が器具本体２０に支持されている。上カバー５１と下カバー６１との間には、下導光板６０が支持されている。
下導光板６０は、上導光板５０の平面視相似形状であり、上導光板５０よりも直径寸法が小さい点が上導光板５０との主な相違点である。すなわち、下導光板６０は、前述した上導光板５０と同様の構成をしているので、本実施形態において詳細な説明は省略することとする。
【００２１】
図６（Ａ）に示すように、ＬＥＤ回路基板４０Ａは、帯状の基材４１Ａを有する。基材４１Ａの実装面４１１には、基材４１Ａの長手方向に沿って所定間隔でＬＥＤチップ４２が実装されている。
ＬＥＤチップ４２は、基材４１Ａの長手方向端縁４１２に最も近い位置に実装され第１ＬＥＤチップ４２１を有する。また、第１ＬＥＤチップ４２１に隣り合う箇所には、第２ＬＥＤチップ４２２が実装される。さらに、第２ＬＥＤチップ４２２に隣り合う箇所には、第３ＬＥＤチップ４２３が実装される。
【００２２】
基材４１Ａの長手方向端縁４１２と、第１ＬＥＤチップ４２１における長手方向端縁４１２側の縁部４２１ａとの間の距離を第１離間寸法Ｌ１とする。また、第１ＬＥＤチップ４２１における長手方向端縁４１２とは反対側（中央側）の縁部４２１ｂと、第２ＬＥＤチップ４２２における長手方向端縁４１２側の縁部４２２ａとの間の距離を第２離間寸法Ｌ２とする。さらに、第２ＬＥＤチップ４２２における長手方向端縁４１２とは反対側（中央側）の縁部４２２ｂと、第３ＬＥＤチップ４２３における長手方向端縁４１２側の縁部４２３ａとの間の距離を第３離間寸法Ｌ３とする。
【００２３】
ＬＥＤ回路基板４０Ａは、第１離間寸法Ｌ１よりも第２離間寸法Ｌ２の方が小さく、第２離間寸法Ｌ２よりも第３離間寸法Ｌ３の方が大きくなるように配置される（Ｌ２＜Ｌ１、Ｌ２＜Ｌ３）。ここで、第１離間寸法Ｌ１および第３離間寸法Ｌ３の大小関係は不問である。なお、図６（Ａ）において、ＬＥＤ回路基板４０Ａは、基材４１Ａの左端部側と右端部側とが同様の構成をしている。
すなわち、ＬＥＤ回路基板４０Ａは、長手方向両端部において、第１ＬＥＤチップ４２１および第２ＬＥＤチップ４２２との間隔が他のＬＥＤ同士の間隔よりも小さいため、長手方向両端部が長手方向中央部に比較して十分な明るさを得ることができる。
【００２４】
さらに、ＬＥＤ回路基板４０Ａにおいて、基材４１Ａの長手方向端縁４１２に最も近い位置に実装された第１ＬＥＤチップ４２１の光束値は、第１ＬＥＤチップ４２１よりも基材４１Ａの長手方向中央側に位置する第２ＬＥＤチップ４２２の光束値よりも高いものが望ましい。
なお、ＬＥＤ回路基板４０Ａは、第１ＬＥＤチップ４２１の光束値が第２ＬＥＤチップ４２２の光束値よりも高ければよい。従って、ＬＥＤ回路基板４０Ａは、長手方向中央部において、光束値が高いＬＥＤチップと光束値が低いＬＥＤチップとを交互に配置することも可能である。
【００２５】
なお、図６（Ａ）に示すＬＥＤ回路基板４０Ａは、第１ＬＥＤチップ４２１、第２ＬＥＤチップ４２２、第３ＬＥＤチップ４２３における第１離間寸法Ｌ１および第３離間寸法Ｌ３の大小関係が不問となっていたが、図６（Ｂ）に示すＬＥＤ回路基板４０Ｅのように第１離間寸法Ｌ１および第３離間寸法の大小関係を規定してもよい。
すなわち、図６（Ｂ）に示すＬＥＤ回路基板４０Ｅは、器具本体２０において適宜な雷サージ対策を施すことにより、第１ＬＥＤチップ４２１、第２ＬＥＤチップ４２２、第３ＬＥＤチップ４２３における第１離間寸法Ｌ１、第２離間寸法Ｌ２および第３離間寸法の関係がＬ１＜Ｌ２＜Ｌ３となっている。
【００２６】
これにより、図７に示すように、六角形に配置された６個のＬＥＤ回路基板４０Ａの端部同士が近接する角部付近に、光束値が高い第１ＬＥＤチップ４２１の光が入射される（入射範囲Ｒ）。このため、上導光板５０および下導光板６０は、平面視において暗部が生じやすい中空部の角部において、暗部の発生を抑制される。
なお、第１ＬＥＤチップ４２１、第２ＬＥＤチップ４２２、第３ＬＥＤチップ４２３の光色や形状等の種類は、限定するものではない。
【００２７】
ＬＥＤ回路基板４０Ａの作用効果について説明する。
図６（Ａ）に示すように、ＬＥＤ回路基板４０Ａは、帯状の基材４１Ａと、基材４１Ａの実装面４１１において基材４１Ａの長手方向に沿って所定間隔で実装された第１ＬＥＤチップ４２１、第２ＬＥＤチップ４２２、第３ＬＥＤチップ４２３と、を備える。
第１ＬＥＤチップ４２１は、基材４１Ａの長手方向端縁４１２に最も近い位置に実装される。第２ＬＥＤチップ４２２は、第１ＬＥＤチップ４２１に隣り合う箇所に実装される。第３ＬＥＤチップ４２３は、第２ＬＥＤチップ４２２に隣り合う箇所に実装される。
基材４１Ａの長手方向端縁４１２と、第１ＬＥＤチップ４２１における長手方向端縁４１２側の縁部４２１ａとの間の第１離間寸法Ｌ１よりも、第１ＬＥＤチップ４２１における長手方向端縁４１２とは反対側の縁部４２１ｂと、第２ＬＥＤチップ４２２における長手方向端縁４１２側の縁部４２２ａとの間の第２離間寸法Ｌ２が小さい（Ｌ２＜Ｌ１）。
また、第２ＬＥＤチップ４２２における長手方向端縁４１２とは反対側の縁部４２２ｂと、第３ＬＥＤチップ４２３における長手方向端縁４１２側の縁部４２３ａとの間の第３離間寸法Ｌ３が、第２離間寸法Ｌ２よりも大きい（Ｌ２＜Ｌ３）。
【００２８】
すなわち、第１離間寸法Ｌ１よりも第２離間寸法Ｌ２の方が小さく、第２離間寸法Ｌ２よりも第３離間寸法Ｌ３の方が大きい。
これにより、ＬＥＤチップ４２の間隔が、ＬＥＤ回路基板４０Ａの長手方向端部よりも長手方向中央部に向かって大きいため、ＬＥＤ回路基板４０Ａの長手方向に沿ったＬＥＤチップ４２による発熱量の差を抑えることができる。従って、ＬＥＤ回路基板４０Ａは、発熱量の差に伴う変形を抑えることができる。
また、ＬＥＤチップ４２の間隔が、ＬＥＤ回路基板４０Ａの端部において小さくなるので、隣接する他のＬＥＤ回路基板４０Ａとの間に暗部を生じにくくすることができる。
なお、第１離間寸法Ｌ１の最小値は、第１離間寸法Ｌ１が小さいことにより雑音等の不具合が生じない最小値とすることができる。
【００２９】
また、ＬＥＤ回路基板４０Ａは、第１ＬＥＤチップ４２１の光束値が第２ＬＥＤチップ４２２の光束値よりも高いものが望ましい。
【００３０】
ＬＥＤ回路基板４０Ａの端部に配置される第１ＬＥＤチップ４２１の光束値が、ＬＥＤ回路基板４０Ａの長手方向中央側に配置される第２ＬＥＤチップ４２２の光束値よりも高い。
このため、ＬＥＤ回路基板４０Ａは、長手方向端部側を明るくして、隣接するＬＥＤ回路基板４０Ａとの間に暗部を生じにくくすることができる。
【００３１】
ＬＥＤ照明器具１０Ａは、ＬＥＤ回路基板４０Ａを有し、器具本体２０に収容された電源部（取付アダプタ２２）からの電源供給により発光するＬＥＤ発光部（上ＬＥＤ発光部３０Ａ）を備える。また、ＬＥＤ照明器具１０Ａは、ＬＥＤ発光部（上ＬＥＤ発光部３０Ａ）における第１ＬＥＤチップ４２１、第２ＬＥＤチップ４２２、第３ＬＥＤチップ４２３の発光軸線に入射端面５２１を向けて配置された導光板（上導光板５０）を備える。
【００３２】
すなわち、ＬＥＤ照明器具１０Ａは、器具本体２０に収容された取付アダプタ２２からの電源供給により発光する上ＬＥＤ発光部３０Ａに、ＬＥＤ回路基板４０Ａを用いる。そして、ＬＥＤ照明器具１０Ａは、ＬＥＤ回路基板４０Ａの第１ＬＥＤチップ４２１、第２ＬＥＤチップ４２２および第３ＬＥＤチップ４２３の発光軸線に入射端面５２１を向けて、上導光板５０を配置する。
【００３３】
これにより、ＬＥＤチップ４２の間隔が、ＬＥＤ回路基板４０Ａの長手方向端部よりも長手方向中央が大きいため、ＬＥＤ回路基板４０Ａの長手方向に沿ったＬＥＤチップ４２による発熱量の差を抑えることができる。従って、ＬＥＤ照明器具１０Ａは、発熱量の差に伴うＬＥＤ回路基板４０Ａの変形および上導光板５０の変形を抑えることができる。
また、ＬＥＤチップ４２の間隔が、ＬＥＤ回路基板４０Ａの端部において小さいため、隣接する他のＬＥＤ回路基板４０Ａとの間に暗部を生じにくくすることができ、入射端面５２１から上導光板５０に入射する光を均一にできる。
また、最も端縁側の第１ＬＥＤチップ４２１の光束値が高いので、上導光板５０における中空部５２の各角部に相当する箇所に暗部が生じにくい。
【００３４】
ＬＥＤ照明器具１０Ａは、ＬＥＤ発光部（上ＬＥＤ発光部３０Ａ）は、ＬＥＤ回路基板４０Ａを複数有する。各ＬＥＤ回路基板４０Ａは、基材４１Ａの長手方向端縁４１２が互いに隣り合うように平面視多角形状に配置されているものが望ましい。
【００３５】
これにより、ＬＥＤ照明器具１０Ａは、上導光板５０において平面視多角形状（平面視六角形状）に設けられている入射端面５２１に上ＬＥＤ発光部３０Ａからの光を入射する際に、隣接する他のＬＥＤ回路基板４０Ａとの間に暗部を生じにくくすることができる。また、ＬＥＤ照明器具１０Ａは、入射端面５２１から上導光板５０に入射する光を均一にでき、光ムラを抑制できる。
【００３６】
ＬＥＤ照明器具１０Ａは、ＬＥＤ発光部（上ＬＥＤ発光部３０Ａ）は、各ＬＥＤ回路基板４０Ａの発光軸線が互いに放射状となるように配置されているものが望ましい。
ＬＥＤ発光部３０Ａは、各ＬＥＤ回路基板４０Ａの発光軸線が互いに放射状となるように、ＬＥＤ回路基板４０Ａを扁平角柱状に配置しているので、低コストで容易に製作することができる。
【００３７】
なお、本実施形態は、６個のＬＥＤ回路基板４０Ａを扁平六角柱形状に配置した場合を例示したが。６個以下のＬＥＤ回路基板４０Ａ、あるいは６個以上のＬＥＤ回路基板４０Ａを用いることも可能である。
また、上導光板５０の中空部５２の形状は、ＬＥＤ回路基板４０Ａの個数に対応した多角形状とすることができる。
【００３８】
（第２実施形態）
次に、第２実施形態のＬＥＤ回路基板４０Ｂおよびそれを用いたＬＥＤ照明器具１０Ｂについて、図面を用いて説明する。
なお、前述した第１実施形態に係るＬＥＤ回路基板４０Ａおよびそれを用いたＬＥＤ照明器具１０Ａと共通する部位には同じ符号を付して、重複する説明を省略することとする。
【００３９】
図８に示すように、第２実施形態のＬＥＤ照明器具１０Ｂの上ＬＥＤ発光部３０Ｂは、６個のＬＥＤ回路基板４０Ｂを平面視六角形形状に配置して形成されている。各ＬＥＤ回路基板４０Ｂは、基材４１Ｂの実装面４１１を上導光板５０の上面および下面と平行に配置される。
このため、図９（Ａ）に示すように、基材４１Ｂは、長手方向両端面４１３を斜めに切断して、全体として台形状に形成されている。ここでは、平面視六角形状に配置されるため、長手方向両端面４１３は、基材４１Ｂの長手方向軸線ＣＬ１に対してθ＝６０°に傾斜している。
【００４０】
図９（Ａ）に示すように、基材４１Ｂの幅方向中心部には、長手方向軸線ＣＬ１に沿って、ＬＥＤチップ４２が配置されている。ＬＥＤチップ４２は、第１ＬＥＤチップ４２１、第２ＬＥＤチップ４２２および第３ＬＥＤチップ４２３を有する。
なお、第１ＬＥＤチップ４２１、第２ＬＥＤチップ４２２、第３ＬＥＤチップ４２３の配置および第１離間寸法Ｌ１、第２離間寸法Ｌ２、第３離間寸法Ｌ３は、第１実施形態で前述したものと同様である。
【００４１】
図９（Ｂ）に示すように、ＬＥＤチップ４２は、基材４１Ｂの実装面４１１に、支持台４３を介して実装される。支持台４３は、例えば一面（傾斜面４３１）が傾斜した台形状を呈している。ＬＥＤチップ４２は、支持台４３の垂直面４３２に取り付けられており、実装面４１１と平行な方向に光を照射する（いわゆるサイドビュータイプである）。
従って、ＬＥＤ回路基板４０Ｂは、基材４１Ｂの実装面４１１を上導光板５０の面と平行に配置することにより、上導光板５０の入射端面５２１に向かって光を放射状に照射することになる。
なお、ＬＥＤ回路基板４０Ｂは、上導光板５０の上側に実装面４１１を下向きにして平行に取り付けることができるが、上導光板５０の下側に実装面４１１を上向きにして平行に取り付けることも可能である。
【００４２】
従って、第２実施形態のＬＥＤ回路基板４０ＢおよびＬＥＤ照明器具１０Ｂは、前述した第１実施形態のＬＥＤ回路基板４０ＡおよびＬＥＤ照明器具１０Ａと同様の作用・効果を得ることができる。
さらに、第２実施形態のＬＥＤ回路基板４０Ｂおよびそれを用いたＬＥＤ照明器具１０Ｂでは、ＬＥＤチップ４２が実装面４１１に対して直角に取り付けられて、実装面４１１と平行な方向に光を照射する。このため、ＬＥＤ回路基板４０Ｂを用いた上ＬＥＤ発光部３０Ｂを薄くすることができ、ＬＥＤ照明器具１０Ｂを薄くすることができる。
【００４３】
（第３実施形態）
次に、第３実施形態のＬＥＤ回路基板４０Ｃおよびそれを用いたＬＥＤ照明器具１０Ｃについて、図面を用いて説明する。
なお、前述した第１実施形態のＬＥＤ回路基板４０Ａ、ＬＥＤ照明器具１０Ａおよび第２実施形態のＬＥＤ回路基板４０Ｂ、ＬＥＤ照明器具１０Ｂと共通する部位には同じ符号を付して、重複する説明を省略することとする。
【００４４】
図１０に示すように、第３実施形態のＬＥＤ照明器具１０Ｃの上ＬＥＤ発光部３０Ｃは、１個のＬＥＤ回路基板４０ＣをＣ字状（扁平円柱形状）に湾曲させて用いる。ＬＥＤ回路基板４０Ｃは、柔軟なＦＰＣ（Flexible printed circuits）からなる細長い矩形状の基材４１Ｃを有しており、実装面４１１が外側面となるように用いられる。実装面４１１には、長手方向に沿って、第１ＬＥＤチップ４２１、第２ＬＥＤチップ４２２および第３ＬＥＤチップ４２３が実装されている。
これにより、扁平円柱形状のＬＥＤ回路基板４０Ｃは、外側全周にわたって放射状に光を照射する。
これに伴い、上導光板５０の中空部５２は、平面視円形状であり、入射端面５２１が内周面となっている。
【００４５】
従って、第３実施形態のＬＥＤ回路基板４０ＣおよびＬＥＤ照明器具１０Ｃは、前述した第１実施形態のＬＥＤ回路基板４０Ａ、ＬＥＤ照明器具１０Ａおよび第２実施形態のＬＥＤ回路基板４０Ｂ、ＬＥＤ照明器具１０Ｂと同様の作用・効果を得ることができる。
さらに、第３実施形態のＬＥＤ回路基板４０ＣおよびＬＥＤ照明器具１０Ｃでは、湾曲させたＬＥＤ回路基板４０Ｃの両端に設けられている第１ＬＥＤチップ４２１は、近接して配置されることになる。このため、上導光板５０は、全周にわたって暗部が形成されにくくなる。
【００４６】
（第４実施形態）
次に、第４実施形態のＬＥＤ回路基板４０Ｄおよびそれを用いたＬＥＤ照明器具１０Ｄについて、図面を用いて説明する。
なお、前述した第１実施形態に係るＬＥＤ回路基板４０Ａ、ＬＥＤ照明器具１０Ａないし第３実施形態に係るＬＥＤ回路基板４０Ｃ、ＬＥＤ照明器具１０Ｃと共通する部位には同じ符号を付して、重複する説明を省略することとする。
【００４７】
図１１に示すように、第４実施形態のＬＥＤ照明器具１０Ｄの上ＬＥＤ発光部３０Ｄは、２個のＬＥＤ回路基板４０ＤをＣ字状（扁平円柱形状）に湾曲させて用いる。細長い矩形状の基材４１Ｄの実装面４１１には、長手方向に沿って、第１ＬＥＤチップ４２１、第２ＬＥＤチップ４２２および第３ＬＥＤチップ４２３が実装されている。すなわち、ＬＥＤ照明器具１０Ｄは、第３実施形態のＬＥＤ回路基板４０Ｃを２分割したものである。
これにより、扁平円柱形状のＬＥＤ回路基板４０Ｄは、外側全周にわたって放射状に光を照射する。
これに伴い、上導光板５０の中空部５２は、平面視円形状であり、入射端面５２１が内周面となっている。
【００４８】
従って、第４実施形態のＬＥＤ回路基板４０ＤおよびＬＥＤ照明器具１０Ｄは、前述した第１実施形態のＬＥＤ回路基板４０Ａ、ＬＥＤ照明器具１０Ａないし第３実施形態のＬＥＤ回路基板４０Ｃ、ＬＥＤ照明器具１０Ｃと同様の作用・効果を得ることができる。
さらに、第４実施形態のＬＥＤ回路基板４０ＤおよびＬＥＤ照明器具１０Ｄでは、２個の湾曲させたＬＥＤ回路基板４０Ｄを用いるので、ＬＥＤ回路基板４０Ｄの取付作業等が容易になる。
なお、本実施形態では、湾曲したＬＥＤ回路基板４０Ｄを２個用いた場合を例示したが、３個以上のＬＥＤ回路基板４０Ｄを用いることも可能である。
【００４９】
ＬＥＤ回路基板およびそれを用いたＬＥＤ照明器具は、前述した各実施形態に限定されるものでなく、適宜な変形、改良等が可能である。
【符号の説明】
【００５０】
１０Ａ、１０Ｂ、１０Ｃ、１０Ｄ、１０Ｅ  ＬＥＤ照明器具
２０  器具本体
２２  取付アダプタ（電源部）
３０Ａ、３０Ｂ、３０Ｃ、３０Ｄ  ＬＥＤ発光部
４０Ａ、４０Ｂ、４０Ｃ、４０Ｄ  ＬＥＤ回路基板
４１Ａ、４１Ｂ、４１Ｃ、４１Ｄ  基材
４１１  実装面
４１２  長手方向端縁
４２１  第１ＬＥＤチップ
４２１ａ  長手方向端縁側の縁部
４２１ｂ  反対側の縁部
４２２  第２ＬＥＤチップ
４２２ａ  長手方向端縁側の縁部
４２２ｂ  反対側の縁部
４２３  第３ＬＥＤチップ
４２３ａ  長手方向端縁側の縁部
５０  上導光板（導光板）
５２１  入射端面
Ｌ１  第１離間寸法
Ｌ２  第２離間寸法
Ｌ３  第３離間寸法
【図１】
2015204159.tif 000003
【図２】
2015204159.tif 000004
【図３】
2015204159.tif 000005
【図４】
2015204159.tif 000006
【図５】
2015204159.tif 000007
【図６】
2015204159.tif 000008
【図７】
2015204159.tif 000009
【図８】
2015204159.tif 000010
【図９】
2015204159.tif 000011
【図１０】
2015204159.tif 000012
【図１１】
2015204159.tif 000013